(57)【要約】【課題】一体成形ストロー付きの飲料カップ蓋を提供する。【解決手段】本発明に係る飲料カップ蓋（４０）は、蓋体（１０）と、中空円錐体（２０）と、管状体（３０）とを備える。蓋体（１０）の上面（１１）の中央部に軸方向に突起する中空円錐体（２０）が一体成形され、その上面（１１）が漸縮して環状肩部（２３）が形成される。分離可能な管状体（３０）は、軸方向に突起して環状肩部（２３）に連接されるように一体成形される。管状体（３０）の上端部は閉鎖面（３１）を呈する。底部周縁と環状肩部（２３）との連接位置には切り取って分離可能な環状切り取り線（３２）が設けられる。カップ本体に取り付けられると、飲料カップ蓋（４０）の上面と、中空円錐体（２０）と、管状体（３０）全体とがカップ本体を閉鎖する。また、管状体（３０）が環状切り取り線（３２）で切り取られて分離されると、中空円錐体（２０）上面に貫通孔（２４）が形成される。【選択図】図２
2020011057.tif 000002
【特許請求の範囲】
【請求項１】
蓋体と、ボトムリング周縁部を有する中空円錐体と、管状体とを備え、カップ本体に蓋をするための一体成形ストロー付きの飲料カップ蓋であって、
前記蓋体は、上面と、縁端部とを有し、前記縁端部は前記上面の周縁に設置されると共に前記上面から離れる方向に延伸され、前記蓋体の上面中央部から軸方向に突起して前記中空円錐体が一体成形され、前記ボトムリング周縁部は内部に第一貫通孔を有し且つ前記上面に連接され、前記中空円錐体は前記ボトムリング周縁部から離れる方向に延伸されると共に漸縮して環状肩部を形成し、前記環状肩部から前記蓋体上面の円錐体形状にかけて上から下に凹んだ弧形曲線を呈し、
前記管状体は、閉鎖面を呈する上端部を有し、軸方向に突起して前記環状肩部の内周縁に連接するように一体成形され、底部周縁と前記中空円錐体の前記環状肩部との連接位置には切り取って分離可能な環状切り取り線が設けられ、
前記中空円錐体と一体成形されている前記管状体が前記カップ本体に取り付けられると、前記飲料カップ蓋の上面と、前記中空円錐体と、前記管状体全体とが前記カップ本体を閉鎖し、前記管状体が前記環状切り取り線で切り取られて分離されると前記中空円錐体の上面に第二貫通孔が形成されて前記第一貫通孔と前記第二貫通孔とが連通され、前記中空円錐体が前記飲料カップ蓋から飲料を直接吸飲できるようにする円錐形ストロー構造となることを特徴とする飲料カップ蓋。
【請求項２】
前記環状切り取り線は、点線構造で構成されることを特徴とする請求項１に記載の飲料カップ蓋。
【請求項３】
前記蓋体の直径（Ｄ）に対し、
前記中空円錐体の前記ボトムリング周縁部の直径（Ｄ１）は、前記直径（Ｄ）の２５％乃至５０％であり、
前記環状肩部周縁の直径（Ｄ２）は、前記直径（Ｄ）の１５％乃至２５％であり、
前記ボトムリング周縁部から前記環状肩部までの垂直方向の高さ（Ｈ１）は、前記直径（Ｄ）の２５％乃至４０％であり、
前記管状体の直径（Ｄ３）は、前記直径（Ｄ）の８％乃至１６％であり、
前記環状肩部から前記閉鎖面までの高さ（Ｈ２）は、前記直径（Ｄ）の１０％乃至２０％であることを特徴とする請求項１に記載の飲料カップ蓋。
【請求項４】
前記蓋体の前記直径（Ｄ）は１００ｍｍであり、
前記中空円錐体の前記ボトムリング周縁部の前記直径（Ｄ１）は２５ｍｍ乃至５０ｍｍであり、
前記環状肩部周縁の前記直径（Ｄ２）は、１５ｍｍ乃至２５ｍｍであり、
前記ボトムリング周縁部から前記環状肩部までの垂直方向の前記高さ（Ｈ１）は２５ｍｍ乃至４０ｍｍであり、
前記管状体の前記直径（Ｄ３）は８ｍｍ乃至１６ｍｍであり、
前記環状肩部から前記閉鎖面までの前記高さ（Ｈ２）は１０ｍｍ乃至２０ｍｍであることを特徴とする請求項３に記載の飲料カップ蓋。
【請求項５】
前記管状体は、上が広く下が狭い錐状体を呈することを特徴とする請求項４に記載の飲料カップ蓋。
【発明の詳細な説明】
【技術分野】
【０００１】
本発明は、飲料カップ蓋に関する。
【背景技術】
【０００２】
我々がコーヒー、ジュース、お茶、牛乳等の様々な飲料を飲む場合、使い捨てのストローを使う場合が多い。図１に示されるように、消費者が飲料を飲む場合、細長いストロー（６１）をカップ蓋（６２）のストロー口（６２１）を直接突き破って差し込み、飲料カップ（６０）中の飲料を飲む。
【先行技術文献】
【特許文献】
【０００３】
【特許文献１】台湾実用新案第Ｍ３５９９８６号公報
【特許文献２】台湾実用新案第Ｍ５６０４４９号公報
【特許文献３】台湾実用新案第Ｍ４８１６６６号公報
【発明の概要】
【発明が解決しようとする課題】
【０００４】
しかしながら、前述した従来の技術では、このような使い捨ての細長いストローの多くは生分解不可能なプラスチック材料で製造されるため、これらの大量のプラスチック製ストローが深刻な環境汚染を引き起こしている。また、カップ蓋（６２）のストロー口（６２１）は密閉されていないため、飲料が漏れやすいという欠点もある。
このため、近年多くの国では環境保護機関がプラスチック製品の減量計画を策定している。
台湾に置いては、２０１９年からはファストフード店等の大型外食業界は、店内で飲食する場合にはプラスチック製ストローの提供を禁止し、２０２０年には統一発票を発行する全ての商店にて買い物用ポリ袋の無料提供を禁止し、店内での使い捨てのプラスチック製食器の使用も禁止する。２０３０年には買い物用ポリ袋、使い捨て食器、プラスチック製ストロー、使い捨てのテイクアウト用の飲料カップ等も全て禁止する計画となっている。
【０００５】
なお、ストローのように飲料カップ中の飲料を飲みやすくする手段はほかになく、代替が効かない。このため、環境対策として、プラスチック製ストローを代替する様々なストローが次々と登場している。例えば、紙製ストロー、とうもろこし製ストロー等がある。
然しながら、これらの非プラスチック材料で製造された代替ストローは、環境保護法には適合するが、強度不足という問題がある。また、上述の細長いストローは、全て飲料カップ（６０）と分離し独立したストロー（６１）として使用されているため、実際に使用する場合、携帯に不便であり、落としやすい等の欠点がある。
【０００６】
従来の特許文献では、細長いストローと「飲料カップ」とを結合させた構造が開示されている。これらは、携帯に不便であり、落としやすい等の、従来品の欠点を解決したものである。例えば、特許文献１に記載されているストロー付き飲料カップ、特許文献２に記載されている自動ストロー付き飲料カップ、特許文献３に記載されているストローを連結するカップなどが挙げられる。
しかしながら、上記の特許に記載されている細長いストローは、「飲料カップ」と結合されたものであり、落としにくく携帯しやすい等の長所を有するが、その構造は複雑であり、またコストが高く、使い捨て飲料カップとしての使用には適していない。よって、従来の細長いストローを「飲料カップ」に結合させる方法は実用的ではなく、なお改善の余地がある。
【０００７】
そこで、本発明者は上記の欠点が改善可能と考え、鋭意検討を重ねた結果、合理的設計で上記の課題を効果的に改善する本発明を提案するに至った。
【０００８】
本発明は、以上の従来技術の課題を解決する為になされたものである。即ち、本発明の目的は、蓋体に使い捨ての飲料カップ蓋と円錐形ストローとが巧妙に結合され、携帯に便利で、落とす心配がないという効果を有する、一体成形ストロー付きの、飲料カップ蓋を提供することである。
【０００９】
本発明の他の目的は、細長いストローの浪費を減らし、環境保護に貢献し、リサイクルの利便性を向上させる、一体成形ストロー付きの、飲料カップ蓋を提供することである。
【００１０】
本発明のさらなる他の目的は、未使用時には全体が閉鎖状態を形成し、飲料が漏れにくいという効果を有する、一体成形ストロー付きの、飲料カップ蓋を提供することである。
【課題を解決するための手段】
【００１１】
上記課題を解決するために、本発明のある態様の一体成形ストロー付き飲料カップ蓋は、蓋体と、ボトムリング周縁部を有する中空円錐体と、管状体とを備える。
蓋体は、上面と、縁端部とを有する。縁端部は上面の周縁に設置されると共に上面から離れる方向に延伸され、蓋体の上面中央部から軸方向に突起して中空円錐体が一体成形される。ボトムリング周縁部は内部に第一貫通孔を有し且つ上面に連接される。中空円錐体はボトムリング周縁部から離れる方向に延伸されると共に漸縮して環状肩部を形成し、環状肩部から蓋体上面の円錐体形状にかけて上から下に凹んだ弧形曲線を呈する。
管状体は、閉鎖面を呈する上端部を有し、軸方向に突起して環状肩部の内周縁に連接するように一体成形される。底部周縁と中空円錐体の環状肩部との連接位置には切り取って分離可能な環状切り取り線が設けられる。
中空円錐体と一体成形されている管状体がカップ本体に取り付けられると、飲料カップ蓋の上面と、中空円錐体と、管状体全体とがカップ本体を閉鎖する。管状体が環状切り取り線で切り取られて分離されると中空円錐体の上面に第二貫通孔が形成されて第一貫通孔と第二貫通孔とが連通され、中空円錐体がカップ蓋から飲料を直接吸飲できるようにする円錐形ストロー構造となる。
【００１２】
カップ本体に取り付けられると、飲料カップ蓋の上面と、中空円錐体と、管状体全体とがカップ本体を閉鎖する。また、管状体が環状切り取り線で切り取られて分離されると、中空円錐体の上面には第二貫通孔が形成されて第一貫通孔と第二貫通孔とが連通する。こうして、中空円錐体がカップ蓋から飲料を直接吸飲できるようにする円錐形ストロー構造となる。
【００１３】
上記の技術手段により、本発明は、カップ蓋とストローとが一体成形され、使い捨ての飲料カップ蓋及び円錐形ストローが巧妙に結合されていることで、従来の細長いストローでは携帯が不便且つ落としやすいという欠点を有効に解決する。また、本発明によるカップ蓋と一体成形された円錐形ストローは、従来の細長いストローの大量消費を低減し、環境保護に貢献し、リサイクルの利便性を向上させる効果を有する。
【図面の簡単な説明】
【００１４】
【図１】従来の飲料カップ蓋の使用状態を示す概略図である。
【図２】本発明の実施例による飲料カップ蓋の外観を示す斜視図である。
【図３】本発明の実施例による飲料カップ蓋を示す正面図である。
【図４】本発明の実施例による飲料カップ蓋を示す正面の断面図である。
【図５】図４の部分拡大断面図である。
【図６Ａ】本発明の実施例による飲料カップ蓋を示す斜視断面図である。
【図６Ｂ】本発明による飲料カップ蓋が順に上に積み重ね可能であることの概略を示す斜視断面図である。
【図７】本発明による飲料カップ蓋の使用状態を示す参考図（一）であって、カップ蓋がカップ本体に蓋をした状態を示す図である。
【図８】本発明による飲料カップ蓋の他の使用状態を示す参考図（二）であって、管状体が分離されるときの概略を示す図である。
【図９】本発明による飲料カップ蓋のさらなる他の使用状態を示す参考図（三）であって、管状体が分離され、カップ蓋がストロー構成となった状態を示す図である。
【発明を実施するための形態】
【００１５】
以下、図面を参照しつつ、本発明に係る飲料カップ蓋について具体的に説明する。なお、本発明は、以下に説明する実施例に限定されるものではない。
【００１６】
（実施例）
まず、実施例を図２〜６Ｂに基づいて説明する。本発明に係る飲料カップ蓋４０は、カップ本体５０に蓋をするために用いられる。
好ましい実施可能な形態では、飲料カップ蓋４０は、上面１１、及び上面１１の周縁に設置されると共に上面１１から離れる方向に延伸される縁端部１２を含む蓋体１０を備える。また、蓋体１０には環状溝部１３及び波状部１４の構造が設けられる。但し、上記飲料カップ蓋４０の構造は先行技術（Prior Art）に属し、本発明の特許の目的ではないため、詳述しない。
【００１７】
本発明の主な特徴としては、蓋体１０の上面１１の中央部に軸方向に突起する中空円錐体２０が一体成形され、中空円錐体２０は上面１１に連接されるボトムリング周縁部２１を有し、ボトムリング周縁部２１内には第一貫通孔２２が形成されることが挙げられる。
中空円錐体２０には、ボトムリング周縁部２１から離れる方向に延伸されると共に漸縮する環状肩部２３が形成される。中空円錐体２０は、環状肩部２３から蓋体上面１１の円錐形体形状までが上から下に凹んだ弧形曲線（Ｃ）を呈し、好ましい構造強度を有する（図３乃至図５参照）。
なお、「軸方向」とは蓋体１０の上面１１に垂直になるＸ−Ｘ方向を指し、以下においても同様である。
【００１８】
分離可能な管状体３０は、軸方向に突起して環状肩部２３の内周縁に連接されるように一体成形され、且つ管状体３０の上端部は閉鎖面３１を呈する。管状体３０の底部周縁と中空円錐体２０の環状肩部２３との連接位置には、切り取って分離可能な環状切り取り線３２が設けられる。
本実施形態において、切り取り可能な環形線（環状切り取り線）３２は、点線構造で構成されても、或いはＶ字型の凹溝形状として実施されてもよい。これは、消費者がストロー構造を使用する際に管状体３０を切り取って分離しやすくすることを目的とするものである。
【００１９】
管状体３０が中空円錐体２０と一体成形された後、カップ蓋上面１１、中空円錐体２０、及び管状体３０全体に閉鎖状態が形成され、且つ管状体３０が環状切り取り線３２から切り取られて分離された後、中空円錐体上面（環状肩部）２３に第二貫通孔２４が形成され、第二貫通孔２４と第一貫通孔２２との連通状態が形成される。こうして、中空円錐体２０が飲料カップ蓋４０から飲料を直接吸飲するための円錐形ストロー構造となる。
【００２０】
本実施例では、飲料カップ蓋４０の直径（Ｄ）は約１００ｍｍであるが（図３参照）、直径（Ｄ）の大きさはこれに限定されない。
飲料カップ蓋４０の直径（Ｄ）を１００ｍｍとして計算する場合、中空円錐体２０のボトムリング周縁部２１の直径（Ｄ１）は２５ｍｍ乃至５０ｍｍとし、中空円錐体２０の環状肩部２３の周縁の直径（Ｄ２）は１５ｍｍ乃至２５ｍｍとし、ボトムリング周縁部２１から上に向けて垂直に環状肩部２３にかけての高さ（Ｈ１）は２５ｍｍ乃至４０ｍｍとするのが好ましいが、（Ｄ１），（Ｄ２），（Ｈ１）の大きさはこれらに限定されない。
【００２１】
また、管状体の直径（Ｄ３）は８ｍｍ乃至１６ｍｍとし、環状肩部２３から閉鎖面３１までの高さ（Ｈ２）は１０ｍｍ乃至２０ｍｍとするのが好ましいが、（Ｄ３），（Ｈ２）の大きさはこれらに限定されない。
【００２２】
上述の好ましい比率の設計から分かるように、中空円錐体２０のボトムリング周縁部２１の直径（Ｄ１）は飲料カップ蓋４０の直径（Ｄ）の２５％乃至５０％とし、環状肩部２３周縁の直径（Ｄ２）は飲料カップ蓋４０の直径（Ｄ）の１５％乃至２５％とし、ボトムリング周縁部２１から環状肩部２３までの高さ（Ｈ１）は飲料カップ蓋４０の直径（Ｄ）の２５％乃至４０％とし、管状体の直径（Ｄ３）は飲料カップ蓋４０の直径（Ｄ）の８％乃至１６％とし、環状肩部２３から閉鎖面３１までの高さ（Ｈ２）は飲料カップ蓋４０の直径（Ｄ）の１０％乃至２０％とすることが好ましい。
以上の比率により、中空円錐体２０及び管状体３０の寸法比率が最適化され、飲料カップ蓋４０の構造強度が高まるほか、人間工学にも適合するため、人が使いやすい構造となり、消費者が飲料を飲む際に非常に便利で、人に優しいものとなる。
【００２３】
本実施例では、管状体３０が、上が広く下が狭い錐状体を呈するため、角度αを有し、中空円錐体２０が環状肩部２３から蓋体上面１１の円錐形体形状まで上から下に凹んだ弧形曲線（Ｃ）を呈する（図４参照）。このため、本発明では、図６Ｂに示されるように、飲料カップ蓋４０が順に上に積み重ね可能になる。これにより、積み重ねやすくなり、空間を占領しないという効果を有する。
【００２４】
本実施例では、飲料カップ蓋４０の中空円錐体２０及び分離可能な管状体３０は、自動成形機により非常に迅速に一体成形される。但し、自動成形機は本発明の特許の目的ではないため、詳述しない。
【００２５】
図７は本発明の使用状態を示す参考図であって、飲料カップ蓋４０がカップ本体５０に蓋をした状態を示す。
この際、飲料カップ蓋４０全体がカップ本体５０を閉鎖し、カップ本体５０内部のコーヒー、飲料、タピオカミルクティー、果物顆粒等の内容物が飲料カップ蓋４０の外部に完全に漏れない状態とする。こうして、従来のカップ蓋６２のストロー口６２１では、飲料が漏れやすかったという欠点が改善される。
【００２６】
図８は本発明の他の使用状態を示す参考図であって、管状体３０が分離されるときの概略を示す。
管状体３０の底部周縁と、中空円錐体２０の環状肩部２３とが連接される頚部の位置には、環状切り取り線３２が切り取って分離可能に設けられる。これにより、消費者が飲料を飲む際に、指で管状体３０の側辺を押すだけで管状体３０を環状切り取り線３２の位置で切り取って分離することができ、その結果、第二貫通孔２４が露出し、且つ第二貫通孔２４と第一貫通孔２２との連通状態が形成される。
【００２７】
図９は本発明のさらなる他の使用状態を示す参考図であって、管状体３０が分離された後、飲料カップ蓋４０上方に円錐形ストロー構造が形成された状態を示す。
使用者は、中空円錐体２０の上面に形成される第二貫通孔２４から、カップ本体５０内部のコーヒー、飲料、タピオカミルクティー、果物顆粒等の内容物を吸飲できるようになり、非常に便利に使用できる。
【００２８】
以上の技術手段により、本発明は下記の顕著な効果を奏する。
１、本発明に係る飲料カップ蓋４０は、使い捨ての飲料カップ蓋４０及び円錐形ストロー構造を巧妙に結合させることにより、従来の細長いストローでは携帯に不便で且つ落としやすいという欠点を有効に解決し、環境保護に貢献し、リサイクルの利便性を向上させる効果を有する。
２、本発明に係る円錐形ストロー構造は、構造強度が高いのみならず、飲料カップ蓋４０を順に上に積み重ねることが可能であり、積み重ねやすくなったことにより、大きな空間を占有しなくなる効果を有する。
３、本発明に係る円錐形ストロー構造は、未使用時には飲料カップ蓋４０全体を閉鎖し、飲料を漏れにくくさせる効果を有する。
４、本発明に係る円錐形ストロー構造は、中空円錐体２０及び管状体３０の寸法比率が最適化されているため、飲料カップ蓋４０の構造強度が高まるのみならず、人間工学にも適合し、使用する人が使いやすい形態となり、消費者が飲料を飲む際に非常に便利であり、人に優しい。
【００２９】
本明細書に開示された実施例は、本発明を限定するものではなく、説明するためのものであり、これらの実施例によって本発明の思想と範囲が限定されるものではない。本発明の範囲は特許請求の範囲により解釈すべきものであり、それと同等の範囲内にある全ての技術は、本発明の権利範囲に含まれる。
【符号の説明】
【００３０】
１０  ・・・蓋体
１１  ・・・上面
１２  ・・・縁端部
１３  ・・・環状溝部
１４  ・・・波状部
２０  ・・・中空円錐体
２１  ・・・ボトムリング周縁部
２２  ・・・第一貫通孔
２３  ・・・環状肩部（中空円錐体上面）
２４  ・・・第二貫通孔
３０  ・・・管状体
３１  ・・・閉鎖面
３２  ・・・環状切り取り線（環形線）
４０  ・・・飲料カップ蓋
５０  ・・・カップ本体
６２  ・・・従来のカップ蓋
６２１  ・・・従来のストロー口
（Ｃ）  ・・・弧形曲線
【図１】
2020011057.tif 000003
【図２】
2020011057.tif 000004
【図３】
2020011057.tif 000005
【図４】
2020011057.tif 000006
【図５】
2020011057.tif 000007
【図６Ａ】
2020011057.tif 000008
【図６Ｂ】
2020011057.tif 000009
【図７】
2020011057.tif 000010
【図８】
2020011057.tif 000011
【図９】
2020011057.tif 000012